(57)【要約】【課題】基礎用杭を地盤に埋め込む際に使用するものであって、振動を利用して杭を埋め込む場合に、作業時の音や振動が小さくでき、しかも横方向へのぶれも防止できるようにした基礎用杭の埋め込み用アタッチメントを提供する。【解決手段】埋め込み用アタッチメント７は、作業機械のアーム先端部に取り付けるための取着金具１と、振動を発生させる振動発生装置２と、基礎用杭の上部側に被冠する被冠部材３を備えている。被冠部材３は振動発生装置２の下面板２１の下面側に固定されている。被冠部材３は、所要の外径を有する短円管形状に形成してある。被冠部材３の内面３０は、上部側につれて窄まった、円錐台形状（表面が平滑な曲面）を有するように形成してある。【選択図】        図１
2004162444.tif 000002
【特許請求の範囲】
【請求項１】
作業機械に取り付けて、基礎用杭を地盤に埋め込むために使用される埋め込み用アタッチメントであって、
作業機械に取り付け可能な取着部と、
振動を発生させる振動発生装置と、
基礎用杭に被冠し、振動発生装置による振動を基礎用杭に伝えることのできる被冠部材と、
を備えており、
被冠部材の下面側には基礎用杭の上部側と当接する当接部が設けてあり、当接部は内面が上方へ向けて窄まるように形成してあることを特徴とする、
基礎用杭の埋め込み用アタッチメント。
【請求項２】
当接部の内面は、平滑な曲面または平面を備えて形成してあることを特徴とする、
請求項１記載の基礎用杭の埋め込み用アタッチメント。
【請求項３】
当接部の内面は、凹凸部を備えて形成してあることを特徴とする、
請求項１記載の基礎用杭の埋め込み用アタッチメント。
【請求項４】
作業機械に取り付けて、基礎用杭を地盤に埋め込むために使用される埋め込み用アタッチメントであって、
作業機械に取り付け可能な取着部と、
振動を発生させる振動発生装置と、
基礎用杭に被冠し、振動発生装置による振動を基礎用杭に伝えることのできる被冠部材と、
を備えており、
被冠部材は、基礎用杭に被冠する部分が、上部内方に向かって窄まる傾斜面または曲面を備えるよう形成してあることを特徴とする、
基礎用杭の埋め込み用アタッチメント。
【請求項５】
基礎用杭を地盤に埋め込むための杭埋込装置であって、
アームを備えた作業機械と、
アームに取り付けてある請求項１，２，３または４記載の埋め込み用アタッチメントと、
を備えたことを特徴とする、
杭埋込装置。
【発明の詳細な説明】
【０００１】
【発明の属する技術分野】
本発明は、基礎用杭の埋め込み用アタッチメント及び杭埋込装置に関する。
更に詳しくは、基礎用杭を地盤に埋め込む際に使用するものであって、例えば、木口（小口）面が軸線方向に対して斜めに形成されている木杭でも、埋め込みに際し木口面を構成する木繊維が外方にばらけ難くできるようにしたものに関する。また、振動を利用して杭を埋め込む場合に、作業時の音や振動が小さくでき、しかも横方向へのぶれも防止できるようにしたものに関する。更に、構成が簡単で、比較的安価に製作することができるようにしたものに関する。
【０００２】
【従来の技術】
一般家屋など建物の施工においては、建物の土台となる基礎の施工が重要である。基礎は地盤の上に設けられるので、十分な強度を有する基礎を施工するには地盤をまず強化する必要がある。
【０００３】
地盤強化の方法のひとつとして、地盤に多数の杭（例えば木杭）を埋め込んで、その上に基礎をつくる方法が知られている。この方法は、施工費も比較的安価であるため広く利用されている。
【０００４】
木杭の埋め込みには、一般的にアームの先端に埋め込み用アタッチメント９０を取り付けた油圧式ショベル系掘削機等の作業機械９１が使用される（図５参照）。埋め込み用アタッチメント９０は、振動を発生させる油圧バイブロ９００（振動発生装置）と、下面側に管体９０２が垂設してある当接板９０１を備えて構成されている（図６参照）。
【０００５】
木杭９２は、先の細い尖った方を下側に、木口面９２０を上部側にして地盤上に立て、上部側を埋め込み用アタッチメント９０の管体９０２内に入れて、木口面９２０を当接板９０１と当接させた状態で振動を発生させ、更にアームで押し込むことによって地盤に埋め込まれる。
【０００６】
【発明が解決しようとする課題】
しかし、この埋め込み方法には、いくつかの課題があった。
木杭９２の木口面９２０は、形状にそれほど精度が要求されないので、通常、チェーンソー等で無造作に切断されて形成されている。そのため木口面９２０は、木杭９２の軸線方向に対してやや斜めに形成されていることがあり、埋め込み時に木杭９２を地盤にまっすぐに立てた場合では、当接板９０１と平行な状態で当たらないことがあった（図６参照）。この場合では、木口面９２０の一部分に力が集中してかかるので、この部分の木繊維がばらけて外方に拡がってしまい、施工後の木口面９２０の見た目を悪くすることがあった。
【０００７】
従って木杭９２は、木口面９２０が軸線方向に対して直交して水平に形成されており、地盤にまっすぐに立てた状態で埋め込まれるのが望ましい。
しかし、この場合では、当接板９０１が木口面９２０に当たって振動が木杭９２に伝えられ、いわば面から面へ振動が伝えられるようになるので、この振動によって当接板９０１は、木口面９２０から反発して跳ね返ってしまうようになっていた。つまり当接板９０１が小刻みに木口面９２０を叩いており、しかも面で面を叩いているので大きな音や振動を発生させてしまっていた。これによって周辺地域の住民や家屋に騒音や振動による被害をもたらしていた。
【０００８】
また、木杭９２は、自然のものであるので、直径等の大きさが一定していない。従って管体９０２の内径は、いろいろな直径のものに対応できるようにやや大きく形成されている。しかし、このため管体９０２内に木杭９２を入れた場合では、木杭９２と管体９０２との間に隙間９０３が形成され、この隙間９０３によって木杭９２が埋め込み時に逃げようとして横方向にぶれてしまうことがあった。木杭９２がぶれると作業を一旦停止して、埋め込み方向を修正する必要があるので作業効率が低下するし、埋め込みが浅い場合では倒れる可能性もあり危険である。
【０００９】
本発明者は、上記課題が解決できる埋め込み用アタッチメントの研究を重ねた。
そして、管体内に入れた木杭が、木口面と当接板が当接した状態で固定できれば、上記した課題が解決できるのではないかとの着想を得て、図７に示すようなアタッチメントを考えた。
【００１０】
この埋め込み用アタッチメント９５は、油圧シリンダ等のアクチュエータ９６を管体９５２の外面壁の少なくとも二箇所に備えた構造を有している。アクチュエータ９６のロッド９６０は管体９５２を貫通させてあり、ロッド９６０の先端には木杭９２を挟んで持つための湾曲した狭持板９６１が設けられている。このアタッチメント９５によれば、木杭９２を狭持板９６２，９６２で挟み持つので、安定した状態で埋め込み作業ができ、これにより上記した課題は一応解決できるものと思われる。
【００１１】
しかし、上記したアタッチメント９５は、アクチュエータ９６を部品として必要とし構造も複雑になるので、安価に製作することが困難であった。本発明者は、簡単な構造を有するもので上記課題が解決できないものか更に研究を重ねた。
【００１２】
ところで従来のアタッチメントが備える課題は、例えば、特許文献１、２、３に開示されている装置によっても一応は解決できそうである。これら特許文献１、２、３には、杭の上部側を掴んだ状態で地盤に埋め込むようにできる埋め込み用アタッチメントが開示されている。
【００１３】
この埋め込み用アタッチメントは、Ｈ鋼や矢板等のように上部側が比較的薄く、しかも固いものを埋め込む場合には好適である。
しかし、木杭のように所要の直径を有するものを埋め込む場合では、掴みきれないという問題が考えられる。また、掴むことができても、その状態を維持するためには強固な力で掴まなければならないので、木口面側がつぶされてしまうという問題も考えられる。
また、構造が複雑であるので、安価に製作できないという問題も含んでいる。
【００１４】
【特許文献１】
特開平８−３１１８７１号公報
【特許文献２】
特開昭５５−１３２８１５号公報
【特許文献３】
実開昭５６−１５９２３７号公報
【００１５】
本発明の目的は、例えば、木口面が軸線方向に対して斜めに形成されている木杭でも、埋め込みに際し木口面を構成する木繊維が外方にばらけ難くできる、基礎用杭の埋め込み用アタッチメント及び杭埋込装置を提供することにある。
また、本発明の他の目的は、振動を利用して杭を埋め込む場合に、作業時の音や振動が小さくでき、しかも横方向へのぶれも防止できる、基礎用杭の埋め込み用アタッチメント及び杭埋込装置を提供することにある。
更に、本発明の他の目的は、構成が簡単で、比較的安価に製作することができる、基礎用杭の埋め込み用アタッチメント及び杭埋込装置を提供することにある。
【００１６】
【課題を解決するための手段】
上記目的を達成するために講じた本発明の手段は次のとおりである。
第１の発明にあっては、
作業機械に取り付けて、基礎用杭を地盤に埋め込むために使用される埋め込み用アタッチメントであって、
作業機械に取り付け可能な取着部と、
振動を発生させる振動発生装置と、
基礎用杭に被冠し、振動発生装置による振動を基礎用杭に伝えることのできる被冠部材と、
を備えており、
被冠部材の下面側には基礎用杭の上部側と当接する当接部が設けてあり、当接部は内面が上方へ向けて窄まるように形成してあることを特徴とする、
基礎用杭の埋め込み用アタッチメントである。
【００１７】
第２の発明にあっては、
当接部の内面は、平滑な曲面または平面を備えて形成してあることを特徴とする、
第１の発明に係る基礎用杭の埋め込み用アタッチメントである。
【００１８】
第３の発明にあっては、
当接部の内面は、凹凸部を備えて形成してあることを特徴とする、
第１の発明に係る基礎用杭の埋め込み用アタッチメントである。
【００１９】
第４の発明にあっては、
作業機械に取り付けて、基礎用杭を地盤に埋め込むために使用される埋め込み用アタッチメントであって、
作業機械に取り付け可能な取着部と、
振動を発生させる振動発生装置と、
基礎用杭に被冠し、振動発生装置による振動を基礎用杭に伝えることのできる被冠部材と、
を備えており、
被冠部材は、基礎用杭に被冠する部分が、上部内方に向かって窄まる傾斜面または曲面を備えるよう形成してあることを特徴とする、
基礎用杭の埋め込み用アタッチメントである。
【００２０】
第５の発明にあっては、
基礎用杭を地盤に埋め込むための杭埋込装置であって、
アームを備えた作業機械と、
アームに取り付けてある第１，第２，第３または第４の発明に係る埋め込み用アタッチメントと、
を備えたことを特徴とする、
杭埋込装置である。
【００２１】
（作  用）
本発明に係る埋め込み用アタッチメントは、取着部によって作業機械のアーム先端部等に取り付けられる。この埋め込み用アタッチメントは、地盤に立てた基礎用杭の上部側に被冠部材を被冠した状態で、振動発生装置を作動させて使用される。
【００２２】
埋め込み用アタッチメントは、基礎用杭の上部側が当接する被冠部材の内面が上方へ向けて窄まるように形成してある。または、基礎用杭に被冠する部分が、上部内方に向かって窄まる傾斜面または曲面を備えるよう形成してある。従って、例えば、基礎用杭が木杭であり、その木口面が斜めになっている場合では、木口面の一部分に力が集中してかかったときにその木繊維を破壊して、その破壊した木繊維を内面に沿わせて内方に案内するようにできる。従って、この場合、木杭の木口面は外方にばらけず、それほど見た目は損なわれない。
【００２３】
また、基礎用杭が木杭であり、木口面が斜めになっている場合では、上記したようにして木口面の一部分が破壊されることにより、木口面の縁部の全周が被冠部材の内面と当たるようになる。つまり、木口面が斜めになっている場合でも、木口面の縁部の全周が内面に当たるようにできるので、木口面の略全体に力をかけた状態で埋め込むことができる。
【００２４】
基礎用杭は、埋め込む際において上端面（木杭の場合では木口面）が、被冠部材の内面の窄まる方向に押しやられるようになるので、被冠部材ときつく嵌り合った状態になる。これにより基礎用杭は、安定性が高められた状態で埋め込むことができる。
【００２５】
埋め込み用アタッチメントによれば、被冠部材と基礎用杭の縁部とを当接させることができるので、当接面積を小さくした状態で基礎用杭に振動を伝えることができる。このため埋め込み用アタッチメントは、基礎用杭との反発力が小さくでき、跳ね返りが殆どない状態で埋め込むことができる。従って、埋め込み用アタッチメントでは、面で面を叩かない分、音や振動が小さくできる。
【００２６】
埋め込み用アタッチメントは、被冠部材の内面が上方へ向けて窄まるように形成してあるので、被冠部材の内部に入れることができれば、直径の大きさに関係なく、基礎用杭は上端面の縁部を被冠部材の内面に当てることができる。つまり、上端面を被冠部材の内部に入れることができれば、どのような直径のものでも音や振動を小さくした状態で埋め込むことができる。
また、基礎用杭は、上端面の縁部が被冠部材の内面と当たるので、横方向へのぶれも防止した状態で埋め込むことができる。
【００２７】
埋め込み用アタッチメントは、被冠部材の内面形状を上方に向けて窄まるように形成すれば良いので、構造が簡単であり、また特別な装置も不用なので、比較的安価に製作することができる。
【００２８】
【発明の実施の形態】
図１は本発明に係る埋め込み用アタッチメントの一実施の形態を示す斜視説明図、
図２は図１に示す埋め込み用アタッチメントを使用して木杭を地盤に埋め込む状態を示す断面説明図である。
なお、図２において木杭は断面しない状態で図示している。
埋め込み用アタッチメント７は、油圧式ショベル系掘削機等の作業機械（図示省略）のアーム先端部に取り付けて使用される。
【００２９】
埋め込み用アタッチメント７は、作業機械のアーム先端部に取り付けるための取着金具１と、振動を発生させる振動発生装置２と、基礎用杭の上部側に被冠する被冠部材３を備えている。
【００３０】
取着金具１は二枚のブラケット１０，１０を備えており、ブラケット１０，１０は振動発生装置２の上面板２０上に、所要間隔を設けた状態で垂直に立てて固定されている。各ブラケット１０には、二箇所にピン挿入孔１００が設けてある。
【００３１】
被冠部材３は振動発生装置２の下面板２１の下面側に固定されている。被冠部材３は、所要の外径を有する短円管形状に形成してある。被冠部材３の内面３０は、上部側につれて窄まった、円錐台形状（表面が平滑な曲面）を有するように形成してある。
【００３２】
なお、振動発生装置２は、アームの先端側に設けられた油圧管（オイルライン）から動力を得る公知技術のものを使用したので、更なる詳細な説明は省略する。しかし、振動発生装置２は、これに限定するものではなく、例えば、振動発生装置自体に動力発生装置を備えたものを使用することもできる。
【００３３】
（作  用）
図１及び図２を参照して、本実施の形態で示す埋め込み用アタッチメント７の作用を、基礎用杭である木杭４を地盤に埋め込む状態を示しながら説明する。
▲１▼埋め込み用アタッチメント７を作業機械のアーム先端部に取り付ける。
埋め込み用アタッチメント７は、各ブラケット１０に設けてあるピン挿入孔１００にそれぞれ取着ピン（図示省略）を挿入することで取り付けられる。振動発生装置２には、アーム先端部に配管された油圧管が動力伝達可能に接続される（図１参照）。埋め込み用アタッチメント７が取り付けられた作業機械は、杭埋込装置を構成する。
【００３４】
▲２▼木杭４を地盤上に立て、埋め込み用アタッチメント７を木杭４の上部側に被せて、木杭４と被冠部材３の内面３０とを当接させる。
木杭４は、先の細い尖った方を下側に、木口面４０を上部側にして地盤上に立てられる。本実施の形態において木杭４は、木口面４０が軸線方向に対して斜めに切断されているものを使用した。従って、被冠部材３を被せた状態では、まず、木口面４０のうち高くなっている部分が被冠部材３の内面３０と当たる。
【００３５】
▲３▼振動発生装置２を作動させ、振動を木杭４に伝えながらアームを下方に押し込む。
これにより被冠部材３が当たっていた木口面４０の高くなっている部分に、力が集中してかかり、この部分の木繊維が破壊される。破壊された木繊維は、被冠部材３の内面３０が窄まった円錐形状に形成してあるので、内方に案内され易い。
また、木口面４０の高くなっていた部分が破壊されることにより、木杭４は木口面４０の縁部の全周が被冠部材３の内面３０と当たるようになる（図２参照）。
【００３６】
▲４▼木口面４０の縁部の全周を被冠部材３の内面３０に当てた状態で、更にアームを押し込んで木杭４を地盤に埋め込む。
【００３７】
このように埋め込み用アタッチメント７によれば、木口面４０の縁部の全周が被冠部材３の内面３０と当たるようにできるので、例えば、木口面４０が斜めに切断された木杭４でも、木口面４０の略全体に力をかけた状態で埋め込むことができる。
また、被冠部材３は内面３０が窄まった円錐形状に形成してあるので、アームを押し込むことで、木杭４は木口面４０が窄まる方向に押しやられるようになり、被冠部材３ときつく嵌り合った状態になる。従って、木杭４は、安定性が高められた状態で埋め込むことができる。
【００３８】
埋め込み用アタッチメント７によれば、被冠部材３と木杭４の縁部が当接するので、当接面積を小さくした状態で木杭４に振動を伝えることができる。このため埋め込み用アタッチメント７は、木杭４との反発力が小さくでき、跳ね返りが殆どない状態で埋め込むことができる。従って、埋め込み用アタッチメント７では、面で面を叩かない分、音や振動が小さくできる。
【００３９】
埋め込み用アタッチメント７は、被冠部材３の内面３０が窄まった円錐形状に形成してあるので、被冠部材３の内部に入れることができれば、直径の大きさに関係なく、木口面４０の縁部の全周を被冠部材３の内面３０に当てることができる。つまり、木口面４０を被冠部材３の内部に入れることができれば、どのような直径のものでも音や振動を小さくした状態で埋め込むことができる。
また、木杭４は、このように木口面４０の縁部の全周を被冠部材３の内面３０に当てることができるので、横方向へのぶれも防止した状態で埋め込むことができる。
【００４０】
埋め込み用アタッチメント７において破壊された木繊維は、内方に案内され易いので、埋め込み用アタッチメント７によれば木杭４から外した後でも、木口面４０の見た目はそれほど損なわれない。
【００４１】
埋め込み用アタッチメント７は、被冠部材３の内面形状を上方に向けて窄まる形状にすれば良いので、構造が簡単であり、また特別な装置も不用なので、比較的安価に製作することができる。
【００４２】
本実施の形態で木杭４は、木口面４０が斜めに切断されているものを使用したが、これは限定するものではなく、木口面４０が水平に切断されているものを使用することもできる。この場合では、被冠部材３を上部側に被せたときに、既に縁部の全周が被冠部材３の内面と当接するようになる。
【００４３】
本実施の形態では基礎用杭として木杭４を示したが、これは限定するものではなく、基礎用杭としては例えば、鋼管杭、コンクリート杭（鉄筋コンクリート杭を含む）等を使用することもできる。なお、鋼管杭やコンクリート杭を埋め込む場合では、被冠部材３の内面にゴム、木材、合成樹脂等の緩衝材をライニングすることにより更に音や振動の低減を図ることができる。
【００４４】
本実施の形態で示す被冠部材３は、鉄の塊を削り出して形成し、表面に塗装を施したものを使用した。しかし、被冠部材は削り出して形成したものに限定するものではなく、例えば、図３で示すもののように長さと直径の異なる短管５０，５１，５２，５３，５４を入れ子式に複数個重ねることで形成したものを使用することもできる。この場合の被冠部材５は、内側の管と外側の管との間に形成された段部にビード面５１０，５２０，５３０，５４０が形成されるように溶接することで固定してある。また、内面は、旋盤等により滑らかな曲面を有するように加工することもできる。なお、図３で示すアタッチメントの作用は、上記したアタッチメント７と略同じなので説明は省略した。また、図３において図１及び図２で示す箇所と同等箇所には、同一の符号を付して示している。
【００４５】
また、被冠部材は、下面板２１の下面と被冠部材の外管の内周面に、所要の厚みを有し略直角三角形状に形成したリブを、被冠部材の外管の全周にわたって固定して設けることで、そのリブの厚みを形成する斜面によって上方に向けて窄まった内面を形成したものを使用することもできる。この場合のリブは、隣り合うものとの間に隙間が形成されないようにしてもよいし、隙間を形成するようにしても良い。
【００４６】
被冠部材を形成する材料も鉄に限定するものではなく、例えば、ステンレス、鋳物等の他の金属を使用することもできるし、コンクリートで形成することもできる。また、内面に金属やコンクリート、ゴム、木材、合成樹脂等の緩衝材等をライニングして設けることもできる。
【００４７】
本実施の形態で被冠部材３は外形状が円管形状を有するものを使用したが、これも限定するものではなく、例えば、角管形状のものを使用することもできる。また、被冠部材３の内面３０は、円錐台形状とし、表面が平滑な曲面を有するようにしたが、これも限定するものではなく、上部側につれて窄まるように形成してあれば、例えば、コーン形状、円錐形状、図４に示す略半球形状、内面が膨出した曲面または平面形状等にすることもできる。なお、図４における符号６０は被冠部材の内面を示している。また、図４で示すアタッチメントの作用は、上記したアタッチメント７と略同じなので説明は省略した。また、図４において図１及び図２で示す箇所と同等箇所には、同一の符号を付して示している。更に、被冠部材の内面は、表面が平滑な平面を有する角錐台形状や角錐形状等の形状にすることもできる。更にまた、その表面は平滑でなく、凹凸部を備えるように形成することもできる。
【００４８】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００４９】
【発明の効果】
本発明は上記構成を備え、次の効果を有する。
（ａ）埋め込み用アタッチメントは、基礎用杭の上部側が当接する被冠部材の内面が上方へ向けて窄まるように形成してある。または、基礎用杭に被冠する部分が、上部内方に向かって窄まる傾斜面または曲面を備えるよう形成してある。従って、例えば、基礎用杭が木杭であり、その木口面が斜めになっている場合では、木口面の一部分に力が集中してかかったときにその木繊維を破壊して、その破壊した木繊維を内面に沿わせて内方に案内するようにできる。従って、この場合、木杭の木口面は外方にばらけず、それほど見た目は損なわれない。
【００５０】
（ｂ）基礎用杭が木杭であり、木口面が斜めになっている場合では、上記したようにして木口面の一部分が破壊されることにより、木口面の縁部の全周が被冠部材の内面と当たるようになる。つまり、木口面が斜めになっている場合でも、木口面の縁部の全周が内面に当たるようにできるので、木口面の略全体に力をかけた状態で埋め込むことができる。
【００５１】
（ｃ）基礎用杭は、埋め込む際において上端面（木杭の場合では木口面）が、被冠部材の内面の窄まる方向に押しやられるようになるので、被冠部材ときつく嵌り合った状態になる。これにより基礎用杭は、安定性が高められた状態で埋め込むことができる。
【００５２】
（ｄ）埋め込み用アタッチメントによれば、被冠部材と基礎用杭の縁部とを当接させることができるので、当接面積を小さくした状態で基礎用杭に振動を伝えることができる。このため埋め込み用アタッチメントは、基礎用杭との反発力が小さくでき、跳ね返りが殆どない状態で埋め込むことができる。従って、埋め込み用アタッチメントでは、面で面を叩かない分、音や振動が小さくできる。
【００５３】
（ｅ）埋め込み用アタッチメントは、被冠部材の内面が上方へ向けて窄まるように形成してあるので、被冠部材の内部に入れることができれば、直径の大きさに関係なく、基礎用杭は上端面の縁部を被冠部材の内面に当てることができる。つまり、上端面を被冠部材の内部に入れることができれば、どのような直径のものでも音や振動を小さくした状態で埋め込むことができる。
また、基礎用杭は、上端面の縁部が被冠部材の内面と当たるので、横方向へのぶれも防止した状態で埋め込むことができる。
【００５４】
（ｆ）埋め込み用アタッチメントは、被冠部材の内面形状を上方に向けて窄まるように形成すれば良いので、構造が簡単であり、また特別な装置も不用なので、比較的安価に製作することができる。
【図面の簡単な説明】
【図１】本発明に係る埋め込み用アタッチメントの一実施の形態を示す斜視説明図。
【図２】図１に示す埋め込み用アタッチメントを使用して木杭を地盤に埋め込む状態を示す断面説明図。
【図３】埋め込み用アタッチメントの他の実施の形態を示す断面説明図。
【図４】埋め込み用アタッチメントの他の実施の形態を示す断面説明図。
【図５】従来の埋め込み用アタッチメントを使用した木杭の埋め込み状態を示す説明図。
【図６】図５に示す埋め込み用アタッチメントの要部を拡大して示す断面説明図。
【図７】他の埋め込み用アタッチメントを使用した木杭の埋め込み状態を示す断面説明図。
【符号の説明】
１  取着金具
１０  ブラケット
１００  ピン挿入孔
２  振動発生装置
２０  上面板
２１  下面板
３  被冠部材
３０  内面
４  木杭
４０  木口面
５  被冠部材
５０，５１，５２，５３，５４  短管
５１０，５２０，５３０，５４０  ビード面
７  埋め込み用アタッチメント
９０  埋め込み用アタッチメント
９００  油圧バイブロ
９０１  当接板
９０２  管体
９０３  隙間
９１  作業機械
９２  木杭
９２０  木口面
９５  埋め込み用アタッチメント
９５２  管体
９６  アクチュエータ
９６０  ロッド
９６１  狭持板
９６２  狭持板
【図１】
2004162444.tif 000003
【図２】
2004162444.tif 000004
【図３】
2004162444.tif 000005
【図４】
2004162444.tif 000006
【図５】
2004162444.tif 000007
【図６】
2004162444.tif 000008
【図７】
2004162444.tif 000009